(57)【要約】【課題】  移動通信システムにおける移動通信端末のユーザーの利便性を向上させるとともに、移動通信ネットワークの効率的なセル設計の支援を図る。【解決手段】  移動通信端末はある小型基地局のエリアに在圏中、移動通信ネットワークから隣接セル情報が設定されなくても、周辺に存在する公衆基地局をサーチし、検出した公衆基地局を前記ある小型基地局の隣接セル情報として当該移動通信端末内のメモリに記憶する。移動通信端末は前記検出した公衆基地局への在圏に成功した場合、移動通信ネットワークから隣接セル情報が設定されなくても、前記メモリの記憶をもとに、前記ある小型基地局を前記検出した公衆基地局の隣接セル情報として当該移動通信端末内のメモリに記憶する。一方、移動通信端末は、前記検出した公衆基地局への在圏に失敗した場合は、前記メモリに記憶した前記ある小型基地局の隣接セル情報から前記検出した公衆基地局を削除する。【選択図】      図１
2010166475.tif 000002
【特許請求の範囲】
【請求項１】
移動通信端末の所有者が設置可能な１つ以上の小型基地局と、１つ以上の公衆基地局とを含む移動通信ネットワークにおける通信設定方法において、
移動通信端末はある小型基地局のエリアに在圏中、移動通信ネットワークから隣接セル情報が設定されなくても、周辺に存在する公衆基地局をサーチし、検出した公衆基地局を前記ある小型基地局の隣接セル情報として当該移動通信端末内のメモリに記憶し、
前記移動通信端末は前記検出した公衆基地局への在圏に成功した場合、移動通信ネットワークから隣接セル情報が設定されなくても、前記メモリの記憶をもとに、前記ある小型基地局を前記検出した公衆基地局の隣接セル情報として当該移動通信端末内のメモリに記憶する一方、前記検出した公衆基地局への在圏に失敗した場合は、前記メモリに記憶した前記ある小型基地局の隣接セル情報から前記検出した公衆基地局を削除する、
ことを特徴とする移動通信ネットワークにおける通信設定方法。
【請求項２】
移動通信端末の所有者が設置可能な１つ以上の小型基地局と、１つ以上の公衆基地局とを含む移動通信ネットワークにおける通信設定方法において、
前記移動通信端末はタイマー機能を有し、
該移動通信端末は公衆基地局のエリアに在圏した後、当該移動通信端末の電源を切らずに前記タイマー機能によりあらかじめ設定された一定時間以内の圏外状態を経て、小型基地局のエリアに在圏した場合、前に在圏していた前記公衆基地局を前記小型基地局の隣接セル情報として当該移動通信端末内のメモリに記憶する、
ことを特徴とする移動通信ネットワークにおける通信設定方法。
【請求項３】
請求項２に記載の通信設定方法において、
前記移動通信端末は当該移動通信端末が移動状態にあるかどうかを検出するセンサーを備え、当該移動通信端末が静止状態にある場合にはその静止時間を考慮して前記あらかじめ設定された一定時間を調整する、
ことを特徴とする移動通信ネットワークにおける通信設定方法。
【請求項４】
請求項２又は３に記載の通信設定方法において、
前記移動通信端末は前記公衆基地局のエリアに在圏中、移動通信ネットワークから隣接セル情報が設定されなくても、請求項２においてメモリに記憶した記憶情報をもとに、前記小型基地局を前記公衆基地局の隣接セル情報として当該移動通信端末内のメモリに記憶する、
ことを特徴とする移動通信ネットワークにおける通信設定方法。
【請求項５】
請求項１から４のいずれか１項に記載の通信設定方法において、
公衆基地局と小型基地局が無線環境的に隣接セルの関係にあると判定した場合、隣接セル情報に「隣接セルの関係にある」というフラグを立て、公衆基地局と小型基地局が無線環境的に間に圏外エリアを挟んでいて隣接セルの関係に無いと判定した場合、隣接セル情報に「隣接セルの関係にない」というフラグを立てる、
ことを特徴とする移動通信ネットワークにおける通信設定方法。
【請求項６】
請求項１又は２に記載の通信設定方法において、
前記移動通信端末は、前記公衆基地局のエリアに在圏中に周辺をサーチして検出した別の公衆基地局についても、前記小型基地局の隣接セル情報として当該移動通信端末内のメモリに記憶する、
ことを特徴とする移動通信ネットワークにおける通信設定方法。
【請求項７】
請求項５に記載の通信設定方法において、
前記移動通信端末は、前記公衆基地局のエリアに在圏中、当該移動通信端末内のメモリに記憶された前記公衆基地局の隣接セル情報を参照し、当該隣接セル情報に設定されている小型基地局(前記「隣接する関係にある」と判定した小型基地局)を公衆基地局(移動通信ネットワークから隣接セル情報として通知されるものも含む)よりも優先的にサーチし、該当する小型基地局を検出した場合は、当該検出した小型基地局のエリアに優先的に在圏する、
ことを特徴とする移動通信ネットワークにおける通信設定方法。
【請求項８】
請求項７に記載の通信設定方法において、
前記移動通信端末は、前記公衆基地局を利用して通信中の場合は、当該移動通信端末内のメモリに記憶された前記公衆基地局の隣接セル情報を参照し、当該隣接セル情報に設定されている小型基地局を公衆基地局(移動通信ネットワークから隣接セル情報として通知されるものも含む)よりも優先的にサーチし、小型基地局を検出した場合は、当該検出した小型基地局を公衆基地局の隣接セル情報として移動通信ネットワークへ報告し、
当該報告を受けた移動通信ネットワークは、前記移動通信端末から報告された隣接セル情報をもとに前記検出した小型基地局へのハンドオーバー指示を行い、前記公衆基地局で通信中の移動通信端末を前記検出した小型基地局へハンドオーバーさせる、
ことを特徴とする移動通信ネットワークにおける通信設定方法。
【請求項９】
請求項５に記載の通信設定方法において、
前記移動通信端末は、前記公衆基地局のエリアに在圏中に、当該公衆基地局からの受信レベルが劣化した場合や圏外状態に遷移した場合、当該移動通信端末内のメモリに記憶された前記公衆基地局の隣接セル情報を参照し、当該隣接セル情報に設定されている小型基地局（前記「隣接する関係にある」と判定した小型基地局に加えて前記「隣接する関係に無い」と判定した小型基地局）を公衆基地局(移動通信ネットワークから隣接セル情報として通知されるものも含む)よりも優先的にサーチし、該当する小型基地局を検出した場合は、当該検出した小型基地局のエリアに優先的に在圏する、
ことを特徴とする移動通信ネットワークにおける通信設定方法。
【請求項１０】
請求項５に記載の通信設定方法において、
前記移動通信端末は、前記小型基地局のエリアに在圏中、当該小型基地局からの受信レベルが劣化した場合や圏外状態に遷移した場合、当該移動通信端末内のメモリに記憶された当該小型基地局の隣接セル情報を参照し、当該隣接セル情報に設定されている公衆基地局（前記「隣接する関係にある」と判定した公衆基地局に加えて前記「隣接する関係に無い」と判定した公衆基地局）を他の公衆基地局(移動通信ネットワークから隣接セル情報として通知されるものも含む)よりも優先的にサーチし、該当する公衆基地局を検出した場合、当該検出した公衆基地局のエリアにすぐに在圏する、
ことを特徴とする移動通信ネットワークにおける通信設定方法。
【請求項１１】
請求項１０に記載の通信設定方法において、
前記移動通信端末は、前記小型基地局を利用して通信中の場合は、当該小型基地局からの受信レベルが劣化して通信が切断した場合、当該移動通信端末内のメモリに記憶された当該小型基地局の隣接セル情報を参照し、当該隣接セル情報に設定されている公衆基地局（前記「隣接する関係にある」と判定した公衆基地局に加えて前記「隣接する関係に無い」と判定した公衆基地局）を他の公衆基地局(移動通信ネットワークから隣接セル情報として通知されるものも含む)よりも優先的にサーチし、該当する公衆基地局を検出した場合はすぐに検出した公衆基地局に自動的に再接続(通信の再確立)を試みる、
ことを特徴とする移動通信ネットワークにおける通信設定方法。
【請求項１２】
請求項１１に記載の通信設定方法において、
前記移動通信端末が前記小型基地局を利用して通信中であって当該小型基地局との通信を切断したくない場合、当該移動通信端末は、通信切断するより前に、当該移動通信端末内のメモリに記憶された当該小型基地局の隣接セル情報を参照し、当該隣接セル情報に設定されている公衆基地局(但し、前記「隣接セルの関係にある」と判定して記憶されているものに限る)を他の公衆基地局(移動通信ネットワークから隣接セル情報として通知されるものも含む)よりも優先的にサーチし、該当する公衆基地局を検出したら、検出した公衆基地局を前記小型基地局の隣接セル情報として移動通信ネットワークへ報告し、
報告を受けた移動通信ネットワークは、移動通信端末から報告された隣接セル情報をもとに、前記小型基地局で通信中の移動通信端末を前記検出した公衆基地局へハンドオーバーさせる、
ことを特徴とする移動通信ネットワークにおける通信設定方法。
【請求項１３】
請求項８又は１２に記載の通信設定方法において、
前記移動通信ネットワークは、複数の移動通信端末からの、請求項８において公衆基地局の隣接セル情報として報告された小型基地局の情報、あるいは請求項１２において小型基地局の隣接セル情報として報告された公衆基地局の情報を集計してデータベース化し、さらに平均化処理を施し、移動通信ネットワークで既知の公衆基地局の位置情報(セル設計情報)に対する小型基地局の相対位置や無線状況を計算する、
ことを特徴とする移動通信ネットワークにおける通信設定方法。
【請求項１４】
移動通信端末の所有者が設置可能な１つ以上の小型基地局と、１つ以上の公衆基地局とを含む移動通信ネットワークにおいて、
前記移動通信端末はある小型基地局のエリアに在圏中、移動通信ネットワークから隣接セル情報が設定されなくても、周辺に存在する公衆基地局をサーチし、検出した公衆基地局を前記ある小型基地局の隣接セル情報として当該移動通信端末内のメモリに記憶し、
前記移動通信端末はまた、前記検出した公衆基地局への在圏に成功した場合、移動通信ネットワークから隣接セル情報が設定されなくても、前記メモリの記憶をもとに、前記ある小型基地局を前記検出した公衆基地局の隣接セル情報として当該移動通信端末内のメモリに記憶する一方、前記検出した公衆基地局への在圏に失敗した場合は、前記メモリに記憶した前記ある小型基地局の隣接セル情報から前記検出した公衆基地局を削除する、
ことを特徴とする移動通信ネットワークにおける移動通信端末。
【請求項１５】
移動通信端末の所有者が設置可能な１つ以上の小型基地局と、１つ以上の公衆基地局とを含む移動通信ネットワークにおいて、
当該移動通信端末はタイマー機能を有し、
該移動通信端末は公衆基地局のエリアに在圏した後、当該移動通信端末の電源を切らずに前記タイマー機能によりあらかじめ設定された一定時間以内の圏外状態を経て、小型基地局のエリアに在圏した場合、前に在圏していた前記公衆基地局を前記小型基地局の隣接セル情報として当該移動通信端末内のメモリに記憶する、
ことを特徴とする移動通信ネットワークにおける移動通信端末。
【請求項１６】
請求項１５に記載の移動通信端末において、
当該移動通信端末は当該移動通信端末が移動状態にあるかどうかを検出するセンサーを備え、当該移動通信端末が静止状態にある場合にはその静止時間を考慮して前記あらかじめ設定された一定時間を調整する、
ことを特徴とする移動通信ネットワークにおける移動通信端末。
【請求項１７】
請求項１５又は１６に記載の移動通信端末において、
当該移動通信端末は前記公衆基地局のエリアに在圏中、移動通信ネットワークから隣接セル情報が設定されなくても、請求項１５においてメモリに記憶した記憶情報をもとに、前記小型基地局を前記公衆基地局の隣接セル情報として当該移動通信端末内のメモリに記憶する、
ことを特徴とする移動通信ネットワークにおける移動通信端末。
【請求項１８】
請求項１４から１７のいずれか１項に記載の移動通信端末において、
公衆基地局と小型基地局が無線環境的に隣接セルの関係にあると判定した場合、隣接セル情報に「隣接セルの関係にある」というフラグを立て、公衆基地局と小型基地局が無線環境的に間に圏外エリアを挟んでいて隣接セルの関係に無いと判定した場合、隣接セル情報に「隣接セルの関係にない」というフラグを立てる、
ことを特徴とする移動通信ネットワークにおける移動通信端末。
【請求項１９】
請求項１４又は１５に記載の移動通信端末において、
当該移動通信端末は、前記公衆基地局のエリアに在圏中に周辺をサーチして検出した別の公衆基地局についても、前記小型基地局の隣接セル情報として当該移動通信端末内のメモリに記憶する、
ことを特徴とする移動通信ネットワークにおける移動通信端末。
【請求項２０】
請求項１８に記載の移動通信端末において、
当該移動通信端末は、前記公衆基地局のエリアに在圏中、当該移動通信端末内のメモリに記憶された前記公衆基地局の隣接セル情報を参照し、当該隣接セル情報に設定されている小型基地局（前記「隣接する関係にある」と判定した小型基地局）を公衆基地局(移動通信ネットワークから隣接セル情報として通知されるものも含む)よりも優先的にサーチし、該当する小型基地局を検出した場合は、当該検出した小型基地局のエリアに優先的に在圏する、
ことを特徴とする移動通信ネットワークにおける移動通信端末。
【請求項２１】
請求項２０に記載の移動通信端末において、
当該移動通信端末は、前記公衆基地局を利用して通信中の場合は、当該移動通信端末内のメモリに記憶された前記公衆基地局の隣接セル情報を参照し、当該隣接セル情報に設定されている小型基地局を公衆基地局(移動通信ネットワークから隣接セル情報として通知されるものも含む)よりも優先的にサーチし、小型基地局を検出した場合は、当該検出した小型基地局を公衆基地局の隣接セル情報として移動通信ネットワークへ報告する、
ことを特徴とする移動通信ネットワークにおける移動通信端末。
【請求項２２】
請求項１８に記載の移動通信端末において、
当該移動通信端末は、前記公衆基地局のエリアに在圏中に、当該公衆基地局からの受信レベルが劣化した場合や圏外状態に遷移した場合、当該移動通信端末内のメモリに記憶された前記公衆基地局の隣接セル情報を参照し、当該隣接セル情報に設定されている小型基地局（前記「隣接する関係にある」と判定した小型基地局に加えて前記「隣接する関係に無い」と判定した小型基地局）を公衆基地局(移動通信ネットワークから隣接セル情報として通知されるものも含む)よりも優先的にサーチし、該当する小型基地局を検出した場合は、当該検出した小型基地局のエリアに優先的に在圏する、
ことを特徴とする移動通信ネットワークにおける移動通信端末。
【請求項２３】
請求項１８に記載の移動通信端末において、
当該移動通信端末は、前記小型基地局のエリアに在圏中、当該小型基地局からの受信レベルが劣化した場合や圏外状態に遷移した場合、当該移動通信端末内のメモリに記憶された当該小型基地局の隣接セル情報を参照し、当該隣接セル情報に設定されている公衆基地局（前記「隣接する関係にある」と判定した公衆基地局に加えて前記「隣接する関係に無い」と判定した公衆基地局）を他の公衆基地局(移動通信ネットワークから隣接セル情報として通知されるものも含む)よりも優先的にサーチし、該当する公衆基地局を検出した場合、当該検出した公衆基地局のエリアにすぐに在圏する、
ことを特徴とする移動通信ネットワークにおける移動通信端末。
【請求項２４】
請求項２３に記載の移動通信端末において、
当該移動通信端末は、前記小型基地局を利用して通信中の場合は、当該小型基地局からの受信レベルが劣化して通信が切断した場合、当該移動通信端末内のメモリに記憶された当該小型基地局の隣接セル情報を参照し、当該隣接セル情報に設定されている公衆基地局（前記「隣接する関係にある」と判定した公衆基地局に加えて前記「隣接する関係に無い」と判定した公衆基地局）を他の公衆基地局(移動通信ネットワークから隣接セル情報として通知されるものも含む)よりも優先的にサーチし、該当する公衆基地局を検出した場合はすぐに検出した公衆基地局に自動的に再接続(通信の再確立)を試みる、
ことを特徴とする移動通信ネットワークにおける移動通信端末。
【請求項２５】
請求項２４に記載の移動通信端末において、
当該移動通信端末が前記小型基地局を利用して通信中であって当該小型基地局との通信を切断したくない場合、当該移動通信端末は、通信切断するより前に、当該移動通信端末内のメモリに記憶された当該小型基地局の隣接セル情報を参照し、当該隣接セル情報に設定されている公衆基地局(但し、前記「隣接セルの関係にある」と判定して記憶されているものに限る)を他の公衆基地局(移動通信ネットワークから隣接セル情報として通知されるものも含む)よりも優先的にサーチし、該当する公衆基地局を検出したら、検出した公衆基地局を前記小型基地局の隣接セル情報として移動通信ネットワークへ報告する、
ことを特徴とする移動通信ネットワークにおける移動通信端末。
【請求項２６】
移動通信端末の所有者が設置可能な１つ以上の小型基地局と、１つ以上の公衆基地局とを含む移動通信ネットワークにおける前記移動通信端末に搭載されたコンピュータに通信設定処理を実行させるためのプログラムであって、
前記移動通信端末がある小型基地局のエリアに在圏中、移動通信ネットワークから隣接セル情報が設定されなくても、周辺に存在する公衆基地局をサーチし、検出した公衆基地局を前記ある小型基地局の隣接セル情報として当該移動通信端末内のメモリに記憶する処理と、
前記移動通信端末が前記検出した公衆基地局への在圏に成功した場合、移動通信ネットワークから隣接セル情報が設定されなくても、前記メモリの記憶をもとに、前記ある小型基地局を前記検出した公衆基地局の隣接セル情報として当該移動通信端末内のメモリに記憶する一方、前記検出した公衆基地局への在圏に失敗した場合は、前記メモリに記憶した前記ある小型基地局の隣接セル情報から前記検出した公衆基地局を削除する処理と、
を実行させるためのプログラム。
【請求項２７】
移動通信端末の所有者が設置可能な１つ以上の小型基地局と、１つ以上の公衆基地局とを含む移動通信ネットワークにおける前記移動通信端末に搭載されたコンピュータに通信設定処理を実行させるためのプログラムであって、
当該移動通信端末が前記公衆基地局のエリアに在圏した後、当該移動通信端末の電源を切らずに内蔵したタイマー機能によりあらかじめ設定された一定時間以内の圏外状態を経て、小型基地局のエリアに在圏した場合、前に在圏していた前記公衆基地局を前記小型基地局の隣接セル情報として当該移動通信端末内のメモリに記憶する処理、
を実行させるためのプログラム。
【請求項２８】
請求項２６に記載のプログラムであって、
当該移動通信端末が前記公衆基地局のエリアに在圏中、移動通信ネットワークから隣接セル情報が設定されなくても、請求項２７においてメモリに記憶した記憶情報をもとに、前記小型基地局を前記公衆基地局の隣接セル情報として当該移動通信端末内のメモリに記憶する処理、
を更に実行させることを特徴とするプログラム。
【請求項２９】
請求項２６から２８のいずれか１項に記載のプログラムであって、
公衆基地局と小型基地局が無線環境的に隣接セルの関係にあると判定した場合、隣接セル情報に「隣接セルの関係にある」というフラグを立て、公衆基地局と小型基地局が無線環境的に間に圏外エリアを挟んでいて隣接セルの関係に無いと判定した場合、隣接セル情報に「隣接セルの関係にない」というフラグを立てる処理、
を実行することを特徴とするプログラム。
【請求項３０】
請求項２６又は２７に記載のプログラムであって、
当該移動通信端末が、前記公衆基地局のエリアに在圏中に周辺をサーチして検出した別の公衆基地局についても、前記小型基地局の隣接セル情報として当該移動通信端末内のメモリに記憶する処理、
を更に実行させることを特徴とするプログラム。
【請求項３１】
請求項２９に記載のプログラムであって、
当該移動通信端末が、前記公衆基地局のエリアに在圏中、当該移動通信端末内のメモリに記憶された前記公衆基地局の隣接セル情報を参照し、当該隣接セル情報に設定されている小型基地局（前記「隣接する関係にある」と判定した小型基地局）を公衆基地局(移動通信ネットワークから隣接セル情報として通知されるものも含む)よりも優先的にサーチし、該当する小型基地局を検出した場合は、当該検出した小型基地局のエリアに優先的に在圏する処理、
を更に実行させることを特徴とするプログラム。
【請求項３２】
請求項３１に記載のプログラムであって、
当該移動通信端末が、前記公衆基地局を利用して通信中の場合は、当該移動通信端末内のメモリに記憶された前記公衆基地局の隣接セル情報を参照し、当該隣接セル情報に設定されている小型基地局を公衆基地局(移動通信ネットワークから隣接セル情報として通知されるものも含む)よりも優先的にサーチし、小型基地局を検出した場合は、当該検出した小型基地局を公衆基地局の隣接セル情報として移動通信ネットワークへ報告する処理、
を更に実行させることを特徴とするプログラム。
【請求項３３】
請求項２９に記載のプログラムであって、
当該移動通信端末が、前記公衆基地局のエリアに在圏中に、当該公衆基地局からの受信レベルが劣化した場合や圏外状態に遷移した場合、当該移動通信端末内のメモリに記憶された前記公衆基地局の隣接セル情報を参照し、当該隣接セル情報に設定されている小型基地局（前記「隣接する関係にある」と判定した小型基地局に加えて前記「隣接する関係に無い」と判定した小型基地局）を公衆基地局(移動通信ネットワークから隣接セル情報として通知されるものも含む)よりも優先的にサーチし、該当する小型基地局を検出した場合は、当該検出した小型基地局のエリアに優先的に在圏する処理、
を更に実行させることを特徴とするプログラム。
【請求項３４】
請求項２９に記載のプログラムであって、
当該移動通信端末が、前記［検出した］小型基地局のエリアに在圏中、当該小型基地局からの受信レベルが劣化した場合や圏外状態に遷移した場合、当該移動通信端末内のメモリに記憶された当該小型基地局の隣接セル情報を参照し、当該隣接セル情報に設定されている公衆基地局（前記「隣接する関係にある」と判定した公衆基地局に加えて前記「隣接する関係に無い」と判定した公衆基地局）を他の公衆基地局(移動通信ネットワークから隣接セル情報として通知されるものも含む)よりも優先的にサーチし、該当する公衆基地局を検出した場合、当該検出した公衆基地局のエリアにすぐに在圏する処理、
を更に実行させることを特徴とするプログラム。
【請求項３５】
請求項３４に記載のプログラムであって、
当該移動通信端末が、前記小型基地局を利用して通信中の場合は、当該小型基地局からの受信レベルが劣化して通信が切断した場合、当該移動通信端末内のメモリに記憶された当該小型基地局の隣接セル情報を参照し、当該隣接セル情報に設定されている公衆基地局（前記「隣接する関係にある」と判定した公衆基地局に加えて前記「隣接する関係に無い」と判定した公衆基地局）を他の公衆基地局(移動通信ネットワークから隣接セル情報として通知されるものも含む)よりも優先的にサーチし、該当する公衆基地局を検出した場合はすぐに検出した公衆基地局に自動的に再接続(通信の再確立)を試みる処理、
を更に実行させることを特徴とするプログラム。
【請求項３６】
請求項３５に記載のプログラムであって、
当該移動通信端末が前記小型基地局を利用して通信中であって当該小型基地局との通信を切断したくない場合、当該移動通信端末は、通信切断するより前に、当該移動通信端末内のメモリに記憶された当該小型基地局の隣接セル情報を参照し、当該隣接セル情報に設定されている公衆基地局(但し、前記「隣接セルの関係にある」と判定して記憶されているものに限る)を他の公衆基地局(移動通信ネットワークから隣接セル情報として通知されるものも含む)よりも優先的にサーチし、該当する公衆基地局を検出したら、検出した公衆基地局を前記小型基地局の隣接セル情報として移動通信ネットワークへ報告する処理、
を更に実行させることを特徴とするプログラム。
【発明の詳細な説明】
【技術分野】
【０００１】
本発明は、移動通信ネットワークにおける通信設定方法及びそれに使用する移動通信端末に関する。
【背景技術】
【０００２】
近年、移動通信システムにおいては、移動通信端末の所有者(ユーザー)が自由に設置可能な小型基地局(例えばフェムトセル)について提案されている。しかし、これまでの提案による小型基地局は、まだ解決されない問題を含んでいる。例えば、このような小型基地局については、移動通信ネットワーク側でその設置場所を特定することができないため、小型基地局と従来の公衆基地局の間で、隣接セル情報を設定することができない。このために起こる問題を、図１を用いて説明する。
【０００３】
図１において、公衆基地局０のエリアに在圏している移動通信端末(Ａ地点、Ｂ地点、Ｃ地点のいずれか)が、課金やサービス提供面で優れる隣接する小型基地局１のエリアに在圏するためには、ユーザーの操作により小型基地局１をサーチするか、または定期的に小型基地局１をサーチするしかない。前者のサーチはユーザーに負担を強いることになり、後者のサーチは移動通信端末の消費電力を増加させる問題がある。
【０００４】
なお、後者のサーチについては、移動通信端末が小型基地局１の設置場所をＧＰＳ測位により予め記憶しておき、小型基地局１が存在する可能性の高い場所(Ｂ地点やＣ地点)でのみ小型基地局をサーチする方法が考えられている。しかし、この方法はＧＰＳ測位を定期的に行う必要があるため、処理負荷の問題と消費電力の問題を解決できず、また精度の高いＧＰＳ測位が必要となる。
【０００５】
一方、小型基地局１のエリアに在圏中に周辺に存在する公衆基地局０を予め記憶することで、公衆基地局０に在圏中に公衆基地局０からの受信レベルが劣化した場合に(例えばＣ地点)に小型基地局１をサーチする方法も考えられている。しかし、この方法は電波環境によっては存在するはずの小型基地局１のエリアに在圏できない問題がある(例えばＢ地点では小型基地局１をサーチしない)。さらに、この方法では、小型基地局２のように公衆基地局０との間が圏外エリアであった場合には公衆基地局０を予め記憶できない。このため、移動通信端末が公衆基地局０のエリア(例えばＡ地点)からＥ地点、Ｆ地点へと移動した場合に、小型基地局２のサーチに時間がかかってしまう問題がある。
【０００６】
また、現状では、小型基地局１のエリアに在圏している移動通信端末(例えばＤ地点)が、小型基地局１の在圏エリア外かつ公衆基地局０のエリア内(例えばＡ地点)に移動する場合、隣接する公衆基地局０の情報を利用してハンドオーバー(またはセル再選択)を行う仕組みがない。このため、移動通信端末は一度圏外状態に遷移してから、公衆基地局０をサーチすることになり、連続したネットワークサービスを受けられず、公衆基地局０のエリアに在圏するまでに時間がかかってしまう問題がある。
【０００７】
また、複数の小型基地局間でも隣接セル情報を設定することができないため、移動通信端末が小型基地局間を移動する場合においても、上記同様の問題が発生する。
【発明の概要】
【発明が解決しようとする課題】
【０００８】
本発明は、移動通信システムにおける移動通信端末のユーザーの利便性を向上させるとともに、移動通信ネットワークの効率的なセル設計の支援を図ろうとするものである。
【課題を解決するための手段】
【０００９】
本発明の第１の態様によれば、移動通信端末の所有者が設置可能な１つ以上の小型基地局と、１つ以上の公衆基地局とを含む移動通信ネットワークにおける通信設定方法において、移動通信端末はある小型基地局のエリアに在圏中、移動通信ネットワークから隣接セル情報が設定されなくても、周辺に存在する公衆基地局をサーチし、検出した公衆基地局を前記ある小型基地局の隣接セル情報として当該移動通信端末内のメモリに記憶し、前記移動通信端末は前記検出した公衆基地局への在圏に成功した場合、移動通信ネットワークから隣接セル情報が設定されなくても、前記メモリの記憶をもとに、前記ある小型基地局を前記検出した公衆基地局の隣接セル情報として当該移動通信端末内のメモリに記憶する一方、前記検出した公衆基地局への在圏に失敗した場合は、前記メモリに記憶した前記ある小型基地局の隣接セル情報から前記検出した公衆基地局を削除する、ことを特徴とする移動通信ネットワークにおける通信設定方法が提供される。
【００１０】
本発明の第２の態様によれば、移動通信端末の所有者が設置可能な１つ以上の小型基地局と、１つ以上の公衆基地局とを含む移動通信ネットワークにおける通信設定方法において、前記移動通信端末はタイマー機能を有し、該移動通信端末は公衆基地局のエリアに在圏した後、当該移動通信端末の電源を切らずに前記タイマー機能によりあらかじめ設定された一定時間以内の圏外状態を経て、小型基地局のエリアに在圏した場合、前に在圏していた前記公衆基地局を前記小型基地局の隣接セル情報として当該移動通信端末内のメモリに記憶する、ことを特徴とする移動通信ネットワークにおける通信設定方法が提供される。
【００１１】
本発明の第３の態様によれば、移動通信端末の所有者が設置可能な１つ以上の小型基地局と、１つ以上の公衆基地局とを含む移動通信ネットワークにおいて、前記移動通信端末はある小型基地局のエリアに在圏中、移動通信ネットワークから隣接セル情報が設定されなくても、周辺に存在する公衆基地局をサーチし、検出した公衆基地局を前記ある小型基地局の隣接セル情報として当該移動通信端末内のメモリに記憶し、前記移動通信端末はまた、前記検出した公衆基地局への在圏に成功した場合、移動通信ネットワークから隣接セル情報が設定されなくても、前記メモリの記憶をもとに、前記ある小型基地局を前記検出した公衆基地局の隣接セル情報として当該移動通信端末内のメモリに記憶する一方、前記検出した公衆基地局への在圏に失敗した場合は、前記メモリに記憶した前記ある小型基地局の隣接セル情報から前記検出した公衆基地局を削除する、ことを特徴とする移動通信ネットワークにおける移動通信端末が提供される。
【００１２】
本発明の第４の態様によれば、移動通信端末の所有者が設置可能な１つ以上の小型基地局と、１つ以上の公衆基地局とを含む移動通信ネットワークにおいて、当該移動通信端末はタイマー機能を有し、該移動通信端末は公衆基地局のエリアに在圏した後、当該移動通信端末の電源を切らずに前記タイマー機能によりあらかじめ設定された一定時間以内の圏外状態を経て、小型基地局のエリアに在圏した場合、前に在圏していた前記公衆基地局を前記小型基地局の隣接セル情報として当該移動通信端末内のメモリに記憶する、ことを特徴とする移動通信ネットワークにおける移動通信端末が提供される。
【００１３】
本発明の第５の態様によれば、移動通信端末の所有者が設置可能な１つ以上の小型基地局と、１つ以上の公衆基地局とを含む移動通信ネットワークにおける前記移動通信端末に搭載されたコンピュータに通信設定処理を実行させるためのプログラムであって、前記移動通信端末がある小型基地局のエリアに在圏中、移動通信ネットワークから隣接セル情報が設定されなくても、周辺に存在する公衆基地局をサーチし、検出した公衆基地局を前記ある小型基地局の隣接セル情報として当該移動通信端末内のメモリに記憶する処理と、前記移動通信端末が前記検出した公衆基地局への在圏に成功した場合、移動通信ネットワークから隣接セル情報が設定されなくても、前記メモリの記憶をもとに、前記ある小型基地局を前記検出した公衆基地局の隣接セル情報として当該移動通信端末内のメモリに記憶する一方、前記検出した公衆基地局への在圏に失敗した場合は、前記メモリに記憶した前記ある小型基地局の隣接セル情報から前記検出した公衆基地局を削除する処理と、を実行させるためのプログラムが提供される。
【００１４】
本発明の第６の態様によれば、移動通信端末の所有者が設置可能な１つ以上の小型基地局と、１つ以上の公衆基地局とを含む移動通信ネットワークにおける前記移動通信端末に搭載されたコンピュータに通信設定処理を実行させるためのプログラムであって、当該移動通信端末が前記公衆基地局のエリアに在圏した後、当該移動通信端末の電源を切らずに内蔵したタイマー機能によりあらかじめ設定された一定時間以内の圏外状態を経て、小型基地局のエリアに在圏した場合、前に在圏していた前記公衆基地局を前記小型基地局の隣接セル情報として当該移動通信端末内のメモリに記憶する処理、を実行させるためのプログラムが提供される。
【発明の効果】
【００１５】
本発明によれば、移動通信端末および移動通信ネットワークは、ユーザーが自由に設置する小型基地局のエリア情報(公衆基地局との位置関係や無線状況)を知ることができる。これにより、移動通信端末は面倒なユーザー操作や、処理負荷および消費電流の大きなＧＰＳ測位などを用いずに、課金やサービス面で優れる小型基地局のエリアに優先的に素早く在圏することができる。
【００１６】
また、移動通信端末が公衆基地局と小型基地局の間で移動した場合にも、シームレスに、または最短の中断時間でネットワークサービスを受け続けることができる。
【図面の簡単な説明】
【００１７】
【図１】移動通信端末が、一般的な手法により小型基地局や公衆基地局との間で通信を行なう場合の問題点を説明するための図である。
【図２】移動通信端末が、本発明により公衆基地局や小型基地局との間で通信を行なう場合の制御動作の概略を示した図である。
【図３】図２に示された制御動作の流れを説明するためのフローチャートである。
【図４】図２に示された制御動作の流れを説明するためのフローチャートである。
【図５】図２に示された制御動作の流れを説明するためのフローチャートである。
【図６】図２に示された制御動作の流れを説明するためのフローチャートである。
【図７】図２に示された制御動作の流れを説明するためのフローチャートである。
【図８】図２に示された制御動作の流れを説明するためのフローチャートである。
【図９】図２に示された制御動作の流れを説明するためのフローチャートである。
【図１０】図２に示された制御動作の流れを説明するためのフローチャートである。
【図１１】図２に示された制御動作の流れを説明するためのフローチャートである。
【図１２】本発明が適用される移動通信端末の構成例を説明するための図である。
【発明を実施するための形態】
【００１８】
図１２を参照して、本発明が適用される移動通信端末の構成例について説明する。
【００１９】
公衆基地局や小型基地局との間の無線信号の送受信はアンテナ部１１を通して行なわれる。無線部１２は、無線信号の変復調を行う。サーチ部１３は、公衆基地局や小型基地局をサーチし、各基地局（公衆基地局、小型基地局）の受信レベルの測定を行う。なお、小型基地局というのは、前述したように、移動通信端末の所有者(ユーザー)が自由に設置可能な小型基地局(例えばフェムトセル)のことである。
【００２０】
受信部１４は、受信データの処理(エラー訂正など)を行う。送信部１５は、送信データの処理(符号化など)を行う。
【００２１】
制御部１６は、ＣＰＵ（Ｃｅｎｔｒａｌ  Ｐｒｏｃｅｓｓｉｎｇ  Ｕｎｉｔ）（コンピュータ）等で実現され、上述した各ブロックの制御を行う。制御部１６は特に、各基地局の受信レベルの判定、隣接セルかどうかの判定、隣接セル情報の作成及びメモリ部１７への保存と読み出し、隣接セル情報の移動通信ネットワークへの送信、各基地局への在圏可否の判定、圏外時間の監視など、本発明に関する制御全般を行う。
【００２２】
メモリ部１７は、制御用のデータ、ユーザーデータなどを保存する。メモリ部１７は特に、隣接セル情報、各基地局への在圏可否情報、予め設定する圏外状態の経過時間情報などを保存する。メモリ部１７には更に、制御部１６による制御動作実行のための制御プログラムが保存されている。制御部１６は、制御動作実行に際しては、メモリ部１７から制御プログラムを読み出し、以降で説明される制御動作を実行する。
【００２３】
本発明は以下のような構成の移動通信ネットワークに適用されるが、以下の構成はあくまでも一例にすぎない。本発明の要旨は、移動通信ネットワークを構成する個々の要素（一部を除く）よりもむしろ移動通信端末にあり、それゆえ、以降で説明する移動通信端末の制御動作に関連して移動通信端末以外（サーバー、無線基地局制御部等）で実行される制御動作の動作主体は、まとめて移動通信ネットワークであるものとして説明する。
【００２４】
サーバー：アプリケーションや移動通信端末のユーザー管理などを行なうものであり、本発明に関連する動作としては、公衆基地局、小型基地局の情報を集計して、データベース化し、小型基地局のエリア情報を特定する動作を実行する。
【００２５】
コアネットワーク：例えば３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）で言えば、ＭＳＣ（Ｍｏｂｉｌｅ  Ｓｗｉｔｃｈｉｎｇ  Ｃｅｎｔｅｒ）、ＳＧＳＮ（Ｓｅｒｖｉｎｇ  ＧＰＲＳ  Ｓｕｐｐｏｒｔ  Ｎｏｄｅ）、ＧＧＳＮ（Ｇａｔｅｗａｙ  ＧＰＲＳ  Ｓｕｐｐｏｒｔ  Ｎｏｄｅ）が該当する。
【００２６】
無線基地局制御部：例えば３ＧＰＰで言えば、ＲＮＣ（Ｒａｄｉｏ  Ｎｅｔｗｏｒｋ  Ｃｏｎｔｒｏｌｌｅｒ）が該当し、本発明に関連する動作としては、移動通信端末から送信された隣接セル情報から公衆基地局、小型基地局の情報を解析し、上位(サーバー)へ通知する動作、サーバーで特定した小型基地局のエリア情報を移動通信端末に送信する動作などを実行する。
【００２７】
無線基地局（公衆基地局、小型基地局）：移動通信端末との間で無線信号の送受信を行なう。
【００２８】
移動通信端末：以下に説明する制御動作（通信設定動作を含む）を実行する。
【００２９】
図２〜図１１を用いて本発明による制御動作の実施形態について説明する。図２は、移動通信端末が、公衆基地局０や小型基地局１、２等との間で通信を行なう場合の制御動作の概略を示した図である。また、図３〜図１１はそれぞれ、図２に示された制御動作の流れを説明するためのフローチャートである。以降で説明する制御動作は図１２の制御部１６の制御のもとに実行されるが、以降の動作説明においては制御部１６の記載を省略している。
【００３０】
(１)図３を参照して、移動通信端末は、小型基地局１のエリアに在圏中（図３のステップＳ３１）、移動通信ネットワークから隣接セル情報が設定されなくても、周辺に存在する公衆基地局０をサーチする（図３のステップＳ３２）。サーチの結果、公衆基地局０を検出すると（図３のステップＳ３３のＹｅｓ）、検出した公衆基地局０を小型基地局１の隣接セル情報として端末内（すなわちメモリ部１７）に記憶する（図３のステップＳ３４）。このように、移動通信端末は、図２のＢ地点またはＣ地点で公衆基地局０の検出が可能である。
【００３１】
(２)公衆基地局０を検出（図３のステップＳ３５）した後、移動通信端末は公衆基地局０のエリアへの在圏に成功した場合（図３のステップＳ３６のＹｅｓ）、移動通信ネットワークから隣接セル情報が設定されなくても、上記(１)の記憶を元に、小型基地局１を公衆基地局０の隣接セル情報として端末内に記憶する（図３のステップＳ３７）。一方、移動通信端末は公衆基地局０のエリアへの在圏に失敗した場合（図３のステップＳ３６のＮｏ）は、上記(１)で記憶した小型基地局１の隣接セル情報から公衆基地局０を削除する（図３のステップＳ３８）。これは、在圏できない基地局を記憶する意味がないからである。
【００３２】
(３)図４を参照して、移動通信端末は公衆基地局０のエリアへの在圏に成功して在圏中（図４のステップＳ４１）に圏外状態へ遷移すると（図４のステップＳ４２）圏外状態のタイマーを起動（図４のステップＳ４３）する。このために、移動通信端末はタイマー機能を有し、その電源を切らずにタイマーによりあらかじめ設定された一定時間以内の圏外状態（図４のステップＳ４４のＮｏ）を経て、小型基地局２のエリアに在圏した場合（図４のステップＳ４５のＹｅｓ）、以前に在圏していた公衆基地局０を小型基地局２の隣接セル情報として端末内に記憶する（図４のステップＳ４６）。
【００３３】
なお、ステップＳ４３においては、移動通信端末が圏外状態で静止している(一箇所に留まっている)ことも考慮し、移動通信端末に内蔵させた加速度センサーなどにより移動通信端末の移動状況を推測、つまり移動通信端末が移動状態にあるかどうかを検出し、当該移動通信端末が静止状態にある場合にはその静止時間を考慮して上記の一定時間を調整することも可能である。いずれにしてもステップＳ４１以降の動作は、図２の公衆基地局０のエリア内のＡ地点から圏外のＥ地点を経て小型基地局２のエリア内のＦ地点に移動するような場合を想定している。
【００３４】
(４)その後、移動通信端末は公衆基地局０のエリアに戻って在圏中（図４のステップＳ４７）、移動通信ネットワークから隣接セル情報が設定されなくても、上記(３)の記憶を元に、小型基地局２を公衆基地局０の隣接セル情報として端末内に記憶する（図４のステップＳ４８）。
【００３５】
(５)上記(１)、(２)の公衆基地局０と小型基地局１は、無線環境的に隣接セルの関係にあるが、上記(３)、(４)の公衆基地局０と小型基地局２は、無線環境的には間に圏外エリアを挟んでおり隣接セルの関係に無い。このため、端末内に記憶する際は、この関係の差異を区別する。例えば(１)、(２)の場合は「隣接セルの関係にある」というフラグを立て（図３のステップＳ３４、Ｓ３７）、(３)、(４)の場合は「隣接セルの関係にない」というフラグを立てる（図４のステップＳ４６、Ｓ４８）。
【００３６】
(６)上記(３)では公衆基地局０のエリアに在圏中に周辺をサーチして検出した別の公衆基地局０１(図示しない)についても、小型基地局２の隣接セル情報として端末内に記憶しても良い。この場合、上記(４)では公衆基地局１に在圏中、小型基地局２を公衆基地局１の隣接セル情報として端末内に記憶する。
【００３７】
(７)図５を参照して、移動通信端末は公衆基地局０のエリアに在圏中（図５のステップＳ５１）、端末内に記憶されたその公衆基地局０の隣接セル情報を参照し、隣接セル情報に設定されている小型基地局を、公衆基地局(移動通信ネットワークから隣接セル情報として通知されるものも含む)よりも優先的にサーチし（図５のステップＳ５２）、小型基地局を検出した場合（図５のステップＳ５３のＹｅｓ）には優先的に検出した小型基地局のエリアに在圏する（図５のステップＳ５４）。これにより、面倒なユーザー操作や処理負荷のかかるＧＰＳ測位を行なうことなく、また在圏中の公衆基地局の無線環境が良好であっても、課金やサービス提供面で優れる、隣接する小型基地局を利用することが可能となる。この場合は上記(５)で「隣接セルの関係にある」と判定した小型基地局のみを対象とすることが望ましい。以上の動作は、公衆基地局０から小型基地局１に移動するような場合についてである。
【００３８】
なお、上記で優先的にサーチした小型基地局を検出できなかった場合（図５のステップＳ５３のＮｏ）は、その他の公衆基地局(在圏中の公衆基地局の隣接セル情報に含まれる公衆基地局)をサーチ（図５のステップＳ５５）し、公衆基地局を検出した場合（図５のステップＳ５６のＹｅｓ）は検出した公衆基地局のエリアに在圏する。一方、ステップＳ５６において公衆基地局も検出できなかった場合は、ステップＳ５３に戻って再び隣接セル情報に設定されている小型基地局をサーチする。そして、小型基地局のエリア、公衆基地局のエリアのいずれかに在圏するまで上記の動作を繰り返す。図５のステップＳ５５、Ｓ５６は、以降で説明される図６のステップＳ６７、Ｓ６８、図７のステップＳ７６、Ｓ７７、図８のステップＳ８６、Ｓ８７、図９のステップＳ９８、Ｓ９９、図１０のステップＳ１０８、Ｓ１０９についても同様である。それゆえ、図６〜図１０の上記ステップについては説明が省略される。
【００３９】
(８)図６を参照して、上記(７)で移動通信端末が公衆基地局を利用して通信中（図６のステップＳ６１）の場合は、隣接セル情報に記憶されている小型基地局を、公衆基地局(移動通信ネットワークから隣接セル情報として通知されるものも含む)よりも優先的にサーチし（図６のステップＳ６２）、小型基地局を検出したら（図６のステップＳ６３のＹｅｓ）、検出した小型基地局を公衆基地局の隣接セル情報として移動通信ネットワークへ報告する（図６のステップＳ６４）。なお、報告にはＭｅａｓｕｒｅｍｅｎｔ  Ｒｅｐｏｒｔメッセージなど、従来と同じ方法を用いることができる。移動通信ネットワークは移動通信端末から報告された隣接セル情報をもとに小型基地局へのハンドオーバー指示を行い（図６のステップＳ６５のＹｅｓ）、公衆基地局で通信中の移動通信端末を小型基地局へハンドオーバーさせる（図６のステップＳ６６）。
【００４０】
これにより、移動通信端末は課金やサービス提供面で優れる小型基地局を利用することができる。一般的に、小型基地局はそのエリアに在圏可能な移動通信端末を制限することができるが、上記(１)、(２)により在圏可能な移動通信端末のみが本動作を実行するため、無駄なハンドオーバー処理は発生しない。以上の動作も公衆基地局０から小型基地局１に移動するような場合についてである。
【００４１】
(９)図７を参照して、移動通信端末は公衆基地局のエリアに在圏中（図７のステップＳ７１）、公衆基地局からの受信レベルが劣化した場合や圏外状態に遷移した場合（図７のステップＳ７２）、端末内に記憶されたその公衆基地局の隣接セル情報を参照し、隣接セル情報に設定されている小型基地局を、公衆基地局(移動通信ネットワークから隣接セル情報として通知されるものも含む)よりも優先的にサーチし（図７のステップＳ７３）、小型基地局を検出した場合（図７のステップＳ７４のＹｅｓ）には優先的に、検出した小型基地局のエリアに在圏する（図７のステップＳ７５）。
【００４２】
これにより、公衆基地局と小型基地局が無線環境的に間に圏外エリアを挟んでいて隣接セルの関係にない場合でも、近くにある小型基地局を従来よりも高速にサーチすることができ、課金やサービス提供面で優れる小型基地局をすぐに利用することが可能となる。この場合は上記(５)で隣接セルの関係にあると判定した小型基地局に加えて、隣接セルの関係にないと判定した小型基地局も含めて対象とする。以上の動作は、公衆基地局０や別の公衆基地局０１から小型基地局２に移動するような場合についてである。
【００４３】
(１０)図８を参照して、移動通信端末は小型基地局のエリアに在圏中（図８のステップＳ８１）、課金やサービス提供面で優れる小型基地局を利用し続けることが望ましいが、小型基地局からの受信レベルが劣化する場合や圏外状態に遷移する場合がある。小型基地局からの受信レベルが劣化した場合や圏外状態に遷移した場合（図８のステップＳ８２）、移動通信端末は端末内に記憶されたその小型基地局の隣接セル情報を参照し、隣接セル情報に設定されている公衆基地局を、他の公衆基地局(移動通信ネットワークから隣接セル情報として通知されるものも含む)よりも優先的にサーチし（図８のステップＳ８３）、公衆基地局を検出した場合（図８のステップＳ８４のＹｅｓ）にはすぐに検出した公衆基地局のエリアに在圏する（図８のステップＳ８５）。これにより、近くにある公衆基地局を従来よりも高速にサーチすることができ、ネットワークサービスを受けられない時間を短縮することが可能となる。この場合は上記(５)で隣接セルの関係にあると判定した公衆基地局に加えて、隣接セルの関係に無いと判定した公衆基地局も含めて対象とする。以上の動作は、小型基地局１や小型基地局２から公衆基地局０に移動するような場合についてである。
【００４４】
(１１)図９を参照して、上記(１０)で移動通信端末が小型基地局を利用して通信中の場合（図９のステップＳ９１）は、課金やサービス提供面で優れる小型基地局を利用し続けることが望ましいが、小型基地局からの受信レベルが劣化して通信が切断する場合がある。受信レベルが劣化して通信が切断した場合（図９のステップＳ９２）、移動通信端末は端末内に記憶されたその小型基地局の隣接セル情報を参照し、隣接セル情報に設定されている公衆基地局を、他の公衆基地局(移動通信ネットワークから隣接セル情報として通知されるものも含む)よりも優先的にサーチする（図９のステップＳ９３）。移動通信端末は、サーチの結果、公衆基地局を検出した場合（図９のステップＳ９４の０Ｙｅｓ）、公衆基地局へ再接続を要求し（図９のステップＳ９５）、移動通信ネットワークから公衆基地局への再接続指示がある（図９のステップＳ９６のＹｅｓ）と、移動通信端末はすぐに自動的に再接続(通信の再確立)を試みる（図９のステップＳ９７）。これにより、近くにある公衆基地局を従来よりも高速にサーチし自動的に通信を継続することができ、通信の中断時間を最小限にすることが可能となる。特に、緊急呼などの重要な通信の場合に有効である。この場合は上記(５)で隣接セルの関係にあると判定した公衆基地局に加えて、隣接セルの関係に無いと判定した公衆基地局も含めて対象とする。以上の動作は、小型基地局１や小型基地局２から公衆基地局０に移動するような場合についてである。
【００４５】
(１２)図１０を参照して、移動通信端末が小型基地局を利用して通信中（図１０のステップＳ１０１）、小型基地局との通信を切断したくない場合(緊急呼など重要な通信の場合)、移動通信端末は通信切断より前に(通信中に受信レベルが劣化した場合など)（図１０のステップＳ１０２）、端末内に記憶されたその小型基地局の隣接セル情報を参照し、隣接セル情報に設定されている公衆基地局｛ただし、上記(５)で無線環境的に隣接セルの関係にあるとして記憶されているものに限る｝を、他の公衆基地局(移動通信ネットワークから隣接セル情報として通知されるものも含む)よりも優先的にサーチする（図１０のステップＳ１０３）。移動通信端末は、サーチの結果、公衆基地局を検出したら（図１０のステップＳ１０４のＹｅｓ）、検出した公衆基地局を小型基地局の隣接セル情報として移動通信ネットワークへ報告する（図１０のステップＳ１０５）。報告にはＭｅａｓｕｒｅｍｅｎｔ  Ｒｅｐｏｒｔメッセージなど従来と同じ方法を用いることができる。移動通信ネットワークは移動通信端末から報告された隣接セル情報をもとに公衆基地局へのハンドオーバーを指示（図１０のステップＳ１０６のＹｅｓ）し、小型基地局で通信中の移動通信端末を公衆基地局へハンドオーバーさせる（図１０のステップＳ１０７）。これにより、移動通信端末は重要な通信を切断することなく継続することができる。以上の動作は、小型基地局１や小型基地局２から公衆基地局０に移動するような場合についてである。
【００４６】
(１３)図１１を参照して、移動通信ネットワークは上記(８)や(１２)で移動通信端末から隣接セル情報の報告を受信（図１１のステップＳ１１１）し、受信した隣接セル情報が小型基地局に関する情報である（図１１のステップＳ１１２）と、移動通信端末の所有者(ユーザー)が自由に設置した小型基地局の位置を特定する。具体的には、移動通信ネットワークは複数の移動通信端末からの、上記(８)で公衆基地局の隣接セル情報として報告された小型基地局の情報(受信レベルを含む)、上記(１２)で小型基地局の隣接セル情報として報告された公衆基地局の情報(受信レベルを含む)を集計し、データベース化する（図１１のステップＳ１１３）。移動通信ネットワークはさらに平均化処理などを施し、ネットワークで既知の公衆基地局の位置情報(セル設計情報)に対する小型基地局の相対位置や無線状況を計算する（図１１のステップＳ１１４）。
【００４７】
(１４)図１１において、上記(１３)により移動通信ネットワークで特定された小型基地局のエリア情報は、情報提供した移動通信端末以外を含む複数の移動通信端末で共有できるようにする。すなわち、移動通信ネットワークが、在圏した移動通信端末に向けて小型基地局のエリア情報をブロードキャスト配信したり(既存のCell  Broadcast  Serviceなど)、プッシュ型送信(既存のプッシュ型パケットサービスなど)したりする。または移動通信端末からの要求に従い、移動通信ネットワークがオンデマンド送信する（図１１のステップＳ１１５）。これにより、移動通信端末は未知のエリア(過去に行ったことのないエリア)も含めて、常に最新の小型基地局のエリア情報を入手でき、上記(７)〜(１２)のような公衆基地局と小型基地局間の移動において、最適な基地局の選択が可能となる。
【００４８】
(１５)上記(１３)により移動通信ネットワークでデータベース化された小型基地局のエリア情報は、移動通信ネットワークのセル設計にも利用する。すなわち、複数の移動通信端末から頻繁に報告される隣接セル情報や、ハンドオーバー実施回数の多い隣接セル情報を、移動通信ネットワークの局データの隣接セル情報に組み込んだり、また公衆基地局と小型基地局のエリアの隙間(圏外エリア)を埋めたりするように、基地局の送信パワーを制御する。これらにより、最適なセル設計を行うことが可能となる。
【００４９】
(１６)以上は移動通信端末および移動通信ネットワークが公衆基地局と小型基地局の位置関係や無線状況を知ることにより、最適なセルで通信を行う方法であるが、小型基地局同士の場合にも適用できる。
【００５０】
以上説明してきた通信設定方法によれば、移動通信端末および移動通信ネットワークは、ユーザーが自由に設置する小型基地局のエリア情報(公衆基地局との位置関係や無線状況)を知ることができる。これにより、移動通信端末は面倒なユーザー操作や、処理負荷および消費電流の大きなＧＰＳ測位などを用いずに、課金やサービス面で優れる小型基地局に優先的に素早く在圏することができる。
【００５１】
また、移動通信端末が公衆基地局と小型基地局の間で移動した場合にも、シームレスに、または最短の中断時間でネットワークサービスを受け続けることができる。
【００５２】
また、移動通信ネットワークは収集した小型基地局のエリア情報を元に最適なセル設計を行うことができる。
【００５３】
以上、本発明を、いくつかの実施例を参照して説明したが、本発明は上記実施例に限定されるものではない。本発明の構成や詳細には、請求項に記載された本発明の精神や範囲内で当業者が理解し得る様々な変更をすることができる。
【符号の説明】
【００５４】
１１    アンテナ部
１２    無線部
１３    サーチ部
１４    受信部
１５    送信部
１６    制御部
１７    メモリ部
【図１】
2010166475.tif 000003
【図２】
2010166475.tif 000004
【図３】
2010166475.tif 000005
【図４】
2010166475.tif 000006
【図５】
2010166475.tif 000007
【図６】
2010166475.tif 000008
【図７】
2010166475.tif 000009
【図８】
2010166475.tif 000010
【図９】
2010166475.tif 000011
【図１０】
2010166475.tif 000012
【図１１】
2010166475.tif 000013
【図１２】
2010166475.tif 000014